(57)【要約】【課題】位置固定構造を提供する。【解決手段】固定台と移動装置と位置固定装置を備える。移動装置を固定台に内設し、かつ固定台の内部に上下移動することができ、位置固定装置を固定台に内設する。モップを移動装置に繋いで、位置固定装置に当接して置き、移動装置が固定台の上方に移動しとき、その位置で安定に固定され、モップの脱水作業に便利を提供できる。【選択図】図２
2017213048.tif 000002
【特許請求の範囲】
【請求項１】
位置固定構造は、固定台と移動装置と位置固定装置を備える位置決め構造であって、
前記固定台に移動空間を内設しており、前記固定台は前記移動空間内壁の上面に係合保持部を凹設し、
前記移動装置を前記移動空間に内設し、前記移動装置に移動具と制限具を設け、前記制限具を前記移動具の上面に接続し、
前記位置固定構造に当接保持具と作動具を設け、前記当接保持具の両側にそれぞれ当接保持部と誘導部を形成し、前記誘導部の底面に誘導溝を凹設し、前記作動具は本体を有し、前記本体上方の末端部に弾性アームを延設し、側面を伸ばして突起部を形成し、前記当接保持具を前記移動装置の制限具に内設し、前記保持具の当接保持部を前記制限具の表面に露出させ、前記作動具の前記本体を移動具の内部に枢設し、かつ、前記作動具の前記弾性アームが前記当接保持具の前記誘導部の下方側に位置することによって、前記保持具の当接保持部が圧力を受けて、前記制限具の内部に引き込み、かつ、前記突起部が前記固定台の真向かい位置にいるとき、前記係合保持部に進入して、位置固定を形成することを特徴とする、位置固定構造。
【請求項２】
前記誘導溝の内壁は、内側に傾斜する誘導斜面を形成し、前記当接保持具の当接保持部が圧力を受けて、前記制限具の内部に引き込み、前記誘導斜面を前記作動具の前記弾性アームを押して、前記誘導溝の内部に移動することを特徴とする、請求項１記載の位置固定構造。
【請求項３】
前記作動具を複数に並列して配列され、前記２つの隣接する作動具の前記本体の間に弾性具を設け、前記弾性具によって、前記２つの本体を外側に張り出すことを特徴とする、請求項１記載の位置固定構造。
【請求項４】
前記固定台の前記移動空間内壁は、縦に間隔置きに複数の案内溝を凹設し、前記移動装置の前記移動具の下方周りは、間隔置きに誘導ブロックを凸設し、前記誘導ブロックを案内溝に内設することを特徴とする、請求項１記載の位置固定構造。
【請求項５】
前記移動装置の前記移動具に収容空間を内設し、前記移動具は前記収容空間内壁に枢接孔を設け、前記本体両側の表面にそれぞれ枢接柱を凸設し、前記枢接柱を枢接孔に枢接することを特徴とする、請求項１記載の位置固定構造。
【請求項６】
前記移動装置の前記制限具の内部に、上下面を貫通する貫通孔開けていて、かつ前記移動装置の前記制限具下端部の周りは、下向きにフック部を延設し、前記移動装置の前記制限具外壁に、止めリングを枢接し、前記移動具の外壁に位置固定孔を設け、前記制限具の前記フック部を前記位置固定孔に掛けて、位置固定を形成することを特徴とする、請求項１記載の位置固定構造。
【発明の詳細な説明】
【技術分野】
【０００１】
本発明は位置固定構造に関し、脱水バケツに適用して、モップを脱水バケツの内部に回転して脱水させる位置固定構造に関する。
【背景技術】
【０００２】
公知技術によるモップを高速回転させて脱水する脱水バケツは、省スペースを図るために、脱水バケツで枢転するバスケットを脱水バケツ内部で昇降することができるように設計されている。
【発明の概要】
【発明が解決しようとする課題】
【０００３】
一般として、脱水バスケットの昇降及び位置固定はレール式設計であるため、使用者が上下させて力を入れて使用するため、枢転するバスケットの位置固定がついに狂ってしまい、脱水機能が失われる。
【課題を解決するための手段】
【０００４】
本発明の主な目的は、モップを移動装置に繋いだときに、モップを位置固定装置の当接保持具に当接させ、位置固定装置の作動具を外部に張り出す弾性力を形成させて、作動具の突起部を移動装置外側の固定台に設けられた係合保持部へ安定に位置固定して、モップを安定に脱水作業ができる位置固定構造を提供する。
【０００５】
前述目的を達成するため、本発明は、固定台と移動装置と位置固定装置を備える。固定台は、移動空間の内部に係合保持部を凹設し、移動装置を移動空間に内設し、移動具と、移動具の上方につなぐ制限具とを有し、位置固定装置に当接保持具と、作動具とを設け、当接保持具の両側にそれぞれ当接保持部と、誘導部とを形成し、誘導部の底面に誘導溝を凹設し、作動具上方の末端部に弾性アームを延在し、側面を伸ばして突起部を形成し、当接保持具を移動装置の制限具に内設し、作動具を移動具の内部に枢設していて、かつ作動具の弾性アームを当接保持具の誘導部下方に取り付け、当接保持具の当接保持部が圧力を受けて、制限具の内部に圧縮し、突起部が固定台の係合保持部の正面位置に移動したときは、係合保持部に進入して、位置固定を形成する。
【図面の簡単な説明】
【０００６】
【図１】本発明の立体外観図である。
【図２】本発明の立体分解図である。
【図３】本発明の局所立体断面図（その１）である。
【図４】本発明の局所立体断面図（その２）である。
【図５】本発明の局所断面図である。
【図６】本発明の態様図である。
【図７】本発明の作動態様図（その１）である。
【図８】本発明の作動態様図（その２）である。
【図９】本発明の実施態様図である。
【図１０】本発明の作動態様図（その３）である。
【発明を実施するための形態】
【０００７】
以下、添付図面を参照して本発明の実施の形態を詳細に説明する。
【実施例】
【０００８】
図１ないし図６を参照する。図から明かのように、本発明の位置固定構造は、固定台１と移動装置２と位置固定装置３を備える。
【０００９】
そのうち、固定台１に移動空間１１を内設し、係る固定台１は、移動空間１１内壁の上方に複数の係合保持部１３と、複数の案内溝１２とを凹設し、係る係合保持部１３を案内溝１２の上面に取り付けていて、かつ案内溝１２を縦に垂直設置されている。
【００１０】
移動装置２を固定台１の移動空間１１に内設し、移動装置２は、移動具２１と制限具２２とを有し、制限具２２を移動具２１の上面に接続し、移動具２１に収容空間２１１を内設し、移動具２１は収容空間２１１の側面に複数の枢接孔２１３を設けていて、かつ、移動具２１下方の周りは間隔を置いて、誘導ブロック２１２を凸設し、係る誘導ブロック２１２を固定台１の案内溝１２の内部に取り付け、制限具２２の内部に貫通孔２２２を開けていて、制限具２２下端部の周りに延在してフック部２２１を形成し、係る制限具２２の外側に止めリング２３を枢接し、移動具２１の外壁に位置固定孔２１４を設け、フック部２２１を移動装置２の位置固定孔２１４に掛けて、位置固定を形成する。
【００１１】
位置固定装置３に当接保持具３１と作動具３２を設け、当接保持具３１の両側をそれぞれ当接保持部３１１と誘導部３１２を形成していて、かつ誘導部３１２の底部端に誘導溝３１３を凹設し、係る誘導溝３１３の内壁に内向きの誘導斜面３１４を形成し、係る作動具３２を複数に並列するように設け、作動具３２に本体３２１を有し、本体３２１上方の末端部に弾性アーム３２２を延設し、側面に延在せしめて突起部３２３を形成し、さらに、本体３２１両側の表面に枢接柱３２４を凸設し、係る枢接柱３２４を移動装置２の枢接孔２１３に枢接し、隣接する２つの本体３２１の間に弾性具３３を設け、係る弾性具３３によって、２つの本体３２１を互いに引き離すように働き、２つの作動具３２の弾性アーム３２２が引き離す方向への移動力量を維持し、当接保持具３１を移動装置２の制限具２２に内設することによって、当接保持具３１の当接保持部３１１を制限具２２の表面に露出させ、作動具３２の本体３２１を移動具２１の内部に枢設し、作動具３２の弾性アーム３２２が当接保持具３１の誘導部３１２の下方に位置する。
【００１２】
図６ないし図９を参照する。図から分かるように、移動装置２の止めリング２３をモップ４に繋いでいないとき、位置固定装置３の本体３２１は弾性具３３の弾性力によって、外部に張り出す弾力が保持されており、よって、位置固定装置３の弾性アーム３２２が誘導溝３１３の誘導斜面３１４に当って、当接保持具３１の当接保持部３１１が制限具２２の表面に露出し、移動装置２の移動具２１が固定台１の移動空間１１に引き込む。モップ４を脱水させるときは、モップ４の連結部４２を移動装置２の止めリング２３に係合させ、このとき、モップ４の連結部４２によって、位置固定装置３が圧力を受けて、当接保持部３１１が移動装置２の制限具２２に引き込み、誘導斜面３１４を当接すると共に、弾性アーム３２２を誘導溝３１３内部への移動を誘導する。一方、止めリング２３に係合保持されたモップ４が上方に移動したときに、制限具２２は止めリング２３の当接保持によって、移動具２１が作動具３２を連動して移動され、位置固定装置３の突起部３２３が固定台１の係合保持部１３の真向かい位置のとき、突起部３２３は移動装置２の移動具２１の外側に移動されるとともに、係合保持部１３に進入し、位置固定を形成して、モップ４が安定に脱水作業を行える。
【００１３】
引き続き図６、図７と、図１０とを参照する。図６と図７から分かるように、モップ４の連結部４２が位置固定装置３の当接保持部３１１を引き離した後、位置固定装置３の弾性具３３によって、２つの弾性アーム３２２を互いに寄せ集め、突起部３２３を係合保持部１３から引き離して、移動具２１の内部に引き込んで移動具２１が移動空間１１の内部で移動自在となる。
図９を参照する。図から分かるように、モップ４の連結部４２の回転をよりスムーズに行えることを図り、位置固定装置３の当接保持部３１１に鋼球５がさらに設けられている。
【符号の説明】
【００１４】
１      固定台
１１    移動空間
１２    案内溝
１３    係合保持部
２      移動装置
２１    移動具
２１１  収容空間
２１２  誘導ブロック
２１３  枢接孔
２１４  位置固定孔
２２    制限具
２２１  フック部
２２２  貫通孔
２３    止めリング
３      位置固定装置
３１    当接保持具
３１１  当接保持部
３１２  誘導部
３１３  誘導溝
３１４  誘導斜面
３３２  作動具
３２１  本体
３２２  弾性アーム
３２３  突起部
３２４  枢接柱
３３    弾性具
４      モップ
４１    モップディスク
４２    連結部
５      鋼球
【図１】
2017213048.tif 000003
【図２】
2017213048.tif 000004
【図３】
2017213048.tif 000005
【図４】
2017213048.tif 000006
【図５】
2017213048.tif 000007
【図６】
2017213048.tif 000008
【図７】
2017213048.tif 000009
【図８】
2017213048.tif 000010
【図９】
2017213048.tif 000011
【図１０】
2017213048.tif 000012